(57)【要約】【課題】使用者のニーズに応じて適宜サイズを変更する等、様々な方法で使用することが可能なマットを提供する。【解決手段】マット本体２０とマットカバー２１とを備えるマット２であって、マット本体２０及びマットカバー２１は、両長辺から一方の短辺の中央部にわたってそれぞれ務歯列を有している。これにより、マット本体２０とマットカバー２１とをファスナーにてつなぎ合わせるだけでなく、マット本体２０の長辺と他のマット３のマット本体３０の長辺とをつなぎ合わせ、また、マットカバー２１の長辺と他のマット３のマットカバー３１の長辺とをつなぎ合わせる等、様々な方法で使用することができる。【選択図】図７
2014230607.tif 000002
【特許請求の範囲】
【請求項１】
平面視長方形状のマット本体及び前記マット本体と略同程度の大きさに形成された平面視長方形状のマットカバーを備え、
前記マット本体は、
下側第１長辺と、前記下側第１長辺に対向する下側第２長辺と、前記下側第１長辺及び前記下側第２長辺の間で構成される下側第１短辺と、前記下側第１長辺及び前記下側第２長辺との間で構成され前記下側第１短辺に対向する下側第２短辺とを有し、
前記マットカバーは、
前記下側第１長辺に対向する上側第１長辺と、前記下側第２長辺に対向する上側第２長辺と、前記下側第１短辺に対向する上側第１短辺と、前記下側第２短辺に対向する上側第２短辺とを有する
マットであって、
前記マット本体は、
少なくとも前記下側第１長辺を他の辺と開閉可能につなぎ合わせることが可能な下側第１務歯列と、
前記下側第１務歯列に係合し、前記下側第１短辺側から前記下側第２短辺側へ向かう方向への摺動が閉動作となり、前記下側第２短辺側から前記下側第１短辺側へ向かう方向への摺動が開動作となる下側第１スライダと、
少なくとも前記下側第２長辺を他の辺と開閉可能につなぎ合わせることが可能な下側第２務歯列と、
前記下側第２務歯列に係合し、前記下側第２短辺側から前記下側第１短辺側へ向かう方向への摺動が閉動作となり、前記下側第１短辺側から前記下側第２短辺側へ向かう方向への摺動が開動作となる下側第２スライダと
を備え、
前記マットカバーは、
少なくとも前記上側第１長辺を他の辺と開閉可能につなぎ合わせることが可能な上側第１務歯列と、
前記上側第１務歯列に係合し、前記上側第１短辺側から前記上側第２短辺側へ向かう方向への摺動が開動作となり、前記上側第２短辺側から前記上側第１短辺側へ向かう方向への摺動が閉動作となる上側第１スライダと、
少なくとも前記上側第２長辺を他の辺と開閉可能につなぎ合わせることが可能な上側第２務歯列と、
前記上側第２務歯列に係合し、前記上側第２短辺側から前記上側第１短辺側へ向かう方向への摺動が開動作となり、前記上側第１短辺側から前記上側第２短辺側へ向かう方向への摺動が閉動作となる上側第２スライダと
を備える
ことを特徴とするマット。
【請求項２】
請求項１に記載のマットであって、
前記下側第１務歯列及び上側第１務歯列は、つなぎ合わせて、下側第１スライダ又は上側第１スライダの摺動により開閉することが可能であり、
前記下側第２務歯列及び上側第２務歯列は、つなぎ合わせて、下側第２スライダ又は上側第２スライダの摺動により開閉することが可能であり、
更に、
前記下側第１務歯列は、他のマットの下側第２務歯列とつなぎ合わせて、自らの下側第１スライダ又は他のマットの下側第２スライダの摺動により開閉することが可能であり、
前記下側第２務歯列は、他のマットの下側第１務歯列とつなぎ合わせて、自らの下側第２スライダ又は他のマットの下側第１スライダの摺動により開閉することが可能であり、
前記上側第１務歯列は、他のマットの上側第２務歯列とつなぎ合わせて、自らの上側第１スライダ又は他のマットの上側第２スライダの摺動により開閉することが可能であり、
前記上側第２務歯列は、他のマットの上側第１務歯列とつなぎ合わせて、自らの上側第２スライダ又は他のマットの上側第１スライダの摺動により開閉することが可能である
ことを特徴とするマット。
【請求項３】
請求項１又は請求項２に記載のマットであって、
前記下側第１務歯列は、前記下側第１長辺から前記下側第１短辺にわたって形成されており、
前記下側第２務歯列は、前記下側第２長辺から前記下側第１短辺にわたって形成されており、
前記上側第１務歯列は、前記上側第１長辺から前記上側第１短辺にわたって形成されており、
前記上側第２務歯列は、前記上側第２長辺から前記上側第１短辺にわたって形成されている
ことを特徴とするマット。
【請求項４】
請求項１又は請求項２に記載のマットであって、
前記下側第１務歯列は、前記下側第１長辺に形成されており、
前記下側第２務歯列は、前記下側第２長辺から前記下側第１短辺にわたり前記下側第１長辺側の端部近傍まで形成されており、
前記上側第１務歯列は、前記上側第１長辺に形成されており、
前記上側第２務歯列は、前記上側第２長辺から前記上側第１短辺にわたり前記上側第１長辺側の端部近傍まで形成されている
ことを特徴とするマット。
【請求項５】
請求項１又は請求項２に記載のマットであって、
前記下側第１務歯列は、前記下側第１長辺から前記下側第１短辺にわたり前記下側第２長辺側の端部近傍まで形成されており、
前記下側第２務歯列は、前記下側第２長辺に形成されており、
前記上側第１務歯列は、前記上側第１長辺から前記上側第１短辺にわたり前記上側第２長辺側の端部近傍まで形成されており、
前記上側第２務歯列は、前記上側第２長辺に形成されている
ことを特徴とするマット。
【請求項６】
請求項１から請求項５までのいずれか１項に記載のマットであって、
前記各務歯列は、係合している前記スライダの摺動が開動作となる方向の端部に摺動端となる箱体を有し、閉動作となる方向の端部に、他の務歯列が有する他のスライダ内に挿通し、他の箱体に勘合させることが可能な蝶棒を有する
ことを特徴とするマット。
【請求項７】
平面視多角形状のマット本体及び前記マット本体と略同程度の大きさに形成された平面視多角形状のマットカバーを備え、
前記マット本体は、
下側第１辺と、前記下側第１辺に対向する下側第２辺と、前記下側第１辺及び前記下側第２辺の間で構成される下側第３辺と、前記下側第１辺及び前記下側第２辺との間で構成され前記下側第３辺に対向する下側第４辺とを有し、
前記マットカバーは、
前記下側第１辺に対向する上側第１辺と、前記下側第２辺に対向する上側第２辺と、前記下側第３辺に対向する上側第３辺と、前記下側第４辺に対向する上側第４辺とを有する
マットであって、
前記マット本体は、
少なくとも前記下側第１辺を他の辺と開閉可能につなぎ合わせることが可能な下側第１務歯列と、
前記下側第１務歯列に係合し、前記下側第３辺側から前記下側第４辺側へ向かう方向への摺動が閉動作となり、前記下側第４辺側から前記下側第３辺側へ向かう方向への摺動が開動作となる下側第１スライダと、
少なくとも前記下側第２辺を他の辺と開閉可能につなぎ合わせることが可能な下側第２務歯列と、
前記下側第２務歯列に係合し、前記下側第４辺側から前記下側第３辺側へ向かう方向への摺動が閉動作となり、前記下側第３辺側から前記下側第４辺側へ向かう方向への摺動が開動作となる下側第２スライダと
を備え、
前記マットカバーは、
少なくとも前記上側第１辺を他の辺と開閉可能につなぎ合わせることが可能な上側第１務歯列と、
前記上側第１務歯列に係合し、前記上側第３辺側から前記上側第４辺側へ向かう方向への摺動が開動作となり、前記上側第４辺側から前記上側第３辺側へ向かう方向への摺動が閉動作となる上側第１スライダと、
少なくとも前記上側第２辺を他の辺と開閉可能につなぎ合わせることが可能な上側第２務歯列と、
前記上側第２務歯列に係合し、前記上側第４辺側から前記上側第３辺側へ向かう方向への摺動が開動作となり、前記上側第３辺側から前記上側第４辺側へ向かう方向への摺動が閉動作となる上側第２スライダと
を備える
ことを特徴とするマット。
【発明の詳細な説明】
【技術分野】
【０００１】
本発明は、マット本体及びマットカバーを備えるマットに関する。
【背景技術】
【０００２】
技術の進展に伴い、現在では種々の暖房器具が提案されている。例えば、ヒータを内蔵した保温マットもその一つである。
【０００３】
従来の保温マットは、平面状とされたマット表面から放出される熱を利用する形態とされ、使用者が身体をマット表面に置くことによって暖をとるものであった。つまり、マット表面に接した身体の部分は暖められるが、マット表面に接しない身体の部分は加熱されず、また、空気に直接接する身体部分については十分な保温状態を得ることができず、別途室内の暖房を考慮する必要があった。
【０００４】
そこで、本願出願人は、マット構造を工夫することで、寝具的な使用、ひざ掛け的な使用など、使用形態の汎用性、利便性を向上させて多種多様な使用形態・くつろぎ方が可能となる保温マットを提案している（特許文献１参照。）。
【先行技術文献】
【特許文献】
【０００５】
【特許文献１】特開２０１２−１１１４１号公報
【発明の概要】
【発明が解決しようとする課題】
【０００６】
特許文献１に記載の保温マットは、使用形態の汎用性、利便性を向上させて多種多様な使用形態・くつろぎ方を提供するものであるため、大人から子供まで様々な年代で使用されることになる。そこで、身長が異なる大人から子供まで、また子供の成長に合わせて、更には用途に合わせてサイズを変更することが可能なマットに対する潜在的な需要が生じることになった。
【０００７】
また、大人用サイズのマットは、丸洗い可能な材質で構成したとしても、マット自体が大きすぎるため、家庭用洗濯機では容易に洗濯することができないという問題がある。
【０００８】
本発明はこのような状況に鑑みてなされたものであり、マットを構成するマット本体及びマットカバーを開閉可能につなぎ合わせるファスナーに対して新たに技術的創作を行うことにより、必要に応じてサイズを変更することが可能なマットを提供することを目的とする。
【課題を解決するための手段】
【０００９】
上記課題を解決するために、本発明に係るマットは、平面視長方形状のマット本体及び前記マット本体と略同程度の大きさに形成された平面視長方形状のマットカバーを備え、前記マット本体は、下側第１長辺と、前記下側第１長辺に対向する下側第２長辺と、前記下側第１長辺及び前記下側第２長辺の間で構成される下側第１短辺と、前記下側第１長辺及び前記下側第２長辺との間で構成され前記下側第１短辺に対向する下側第２短辺とを有し、前記マットカバーは、前記下側第１長辺に対向する上側第１長辺と、前記下側第２長辺に対向する上側第２長辺と、前記下側第１短辺に対向する上側第１短辺と、前記下側第２短辺に対向する上側第２短辺とを有するマットであって、前記マット本体は、少なくとも前記下側第１長辺を他の辺と開閉可能につなぎ合わせることが可能な下側第１務歯列と、前記下側第１務歯列に係合し、前記下側第１短辺側から前記下側第２短辺側へ向かう方向への摺動が閉動作となり、前記下側第２短辺側から前記下側第１短辺側へ向かう方向への摺動が開動作となる下側第１スライダと、少なくとも前記下側第２長辺を他の辺と開閉可能につなぎ合わせることが可能な下側第２務歯列と、前記下側第２務歯列に係合し、前記下側第２短辺側から前記下側第１短辺側へ向かう方向への摺動が閉動作となり、前記下側第１短辺側から前記下側第２短辺側へ向かう方向への摺動が開動作となる下側第２スライダとを備え、前記マットカバーは、少なくとも前記上側第１長辺を他の辺と開閉可能につなぎ合わせることが可能な上側第１務歯列と、前記上側第１務歯列に係合し、前記上側第１短辺側から前記上側第２短辺側へ向かう方向への摺動が開動作となり、前記上側第２短辺側から前記上側第１短辺側へ向かう方向への摺動が閉動作となる上側第１スライダと、少なくとも前記上側第２長辺を他の辺と開閉可能につなぎ合わせることが可能な上側第２務歯列と、前記上側第２務歯列に係合し、前記上側第２短辺側から前記上側第１短辺側へ向かう方向への摺動が開動作となり、前記上側第１短辺側から前記上側第２短辺側へ向かう方向への摺動が閉動作となる上側第２スライダとを備えることを特徴とする。
【００１０】
また、本発明に係るマットは、前記下側第１務歯列及び上側第１務歯列は、つなぎ合わせて、下側第１スライダ又は上側第１スライダの摺動により開閉することが可能であり、前記下側第２務歯列及び上側第２務歯列は、つなぎ合わせて、下側第２スライダ又は上側第２スライダの摺動により開閉することが可能であり、更に、前記下側第１務歯列は、他のマットの下側第２務歯列とつなぎ合わせて、自らの下側第１スライダ又は他のマットの下側第２スライダの摺動により開閉することが可能であり、前記下側第２務歯列は、他のマットの下側第１務歯列とつなぎ合わせて、自らの下側第２スライダ又は他のマットの下側第１スライダの摺動により開閉することが可能であり、前記上側第１務歯列は、他のマットの上側第２務歯列とつなぎ合わせて、自らの上側第１スライダ又は他のマットの上側第２スライダの摺動により開閉することが可能であり、前記上側第２務歯列は、他のマットの上側第１務歯列とつなぎ合わせて、自らの上側第２スライダ又は他のマットの上側第１スライダの摺動により開閉することが可能であることを特徴とする。
【００１１】
また、本発明に係るマットは、前記下側第１務歯列は、前記下側第１長辺から前記下側第１短辺にわたって形成されており、前記下側第２務歯列は、前記下側第２長辺から前記下側第１短辺にわたって形成されており、前記上側第１務歯列は、前記上側第１長辺から前記上側第１短辺にわたって形成されており、前記上側第２務歯列は、前記上側第２長辺から前記上側第１短辺にわたって形成されていることを特徴とする。
【００１２】
また、本発明に係るマットは、前記下側第１務歯列は、前記下側第１長辺に形成されており、前記下側第２務歯列は、前記下側第２長辺から前記下側第１短辺にわたり前記下側第１長辺側の端部近傍まで形成されており、前記上側第１務歯列は、前記上側第１長辺に形成されており、前記上側第２務歯列は、前記上側第２長辺から前記上側第１短辺にわたり前記上側第１長辺側の端部近傍まで形成されていることを特徴とする。
【００１３】
また、本発明に係るマットは、前記下側第１務歯列は、前記下側第１長辺から前記下側第１短辺にわたり前記下側第２長辺側の端部近傍まで形成されており、前記下側第２務歯列は、前記下側第２長辺に形成されており、前記上側第１務歯列は、前記上側第１長辺から前記上側第１短辺にわたり前記上側第２長辺側の端部近傍まで形成されており、前記上側第２務歯列は、前記上側第２長辺に形成されていることを特徴とする。
【００１４】
また、本発明に係るマットは、前記各務歯列は、係合している前記スライダの摺動が開動作となる方向の端部に摺動端となる箱体を有し、閉動作となる方向の端部に、他の務歯列が有する他のスライダ内に挿通し、他の箱体に勘合させることが可能な蝶棒を有することを特徴とする。
【００１５】
本発明に係るマットは、平面視多角形状のマット本体及び前記マット本体と略同程度の大きさに形成された平面視多角形状のマットカバーを備え、前記マット本体は、下側第１辺と、前記下側第１辺に対向する下側第２辺と、前記下側第１辺及び前記下側第２辺の間で構成される下側第３辺と、前記下側第１辺及び前記下側第２辺との間で構成され前記下側第３辺に対向する下側第４辺とを有し、前記マットカバーは、前記下側第１辺に対向する上側第１辺と、前記下側第２辺に対向する上側第２辺と、前記下側第３辺に対向する上側第３辺と、前記下側第４辺に対向する上側第４辺とを有するマットであって、前記マット本体は、少なくとも前記下側第１辺を他の辺と開閉可能につなぎ合わせることが可能な下側第１務歯列と、前記下側第１務歯列に係合し、前記下側第３辺側から前記下側第４辺側へ向かう方向への摺動が閉動作となり、前記下側第４辺側から前記下側第３辺側へ向かう方向への摺動が開動作となる下側第１スライダと、少なくとも前記下側第２辺を他の辺と開閉可能につなぎ合わせることが可能な下側第２務歯列と、前記下側第２務歯列に係合し、前記下側第４辺側から前記下側第３辺側へ向かう方向への摺動が閉動作となり、前記下側第３辺側から前記下側第４辺側へ向かう方向への摺動が開動作となる下側第２スライダとを備え、前記マットカバーは、少なくとも前記上側第１辺を他の辺と開閉可能につなぎ合わせることが可能な上側第１務歯列と、前記上側第１務歯列に係合し、前記上側第３辺側から前記上側第４辺側へ向かう方向への摺動が開動作となり、前記上側第４辺側から前記上側第３辺側へ向かう方向への摺動が閉動作となる上側第１スライダと、少なくとも前記上側第２辺を他の辺と開閉可能につなぎ合わせることが可能な上側第２務歯列と、前記上側第２務歯列に係合し、前記上側第４辺側から前記上側第３辺側へ向かう方向への摺動が開動作となり、前記上側第３辺側から前記上側第４辺側へ向かう方向への摺動が閉動作となる上側第２スライダとを備えることを特徴とする。
【００１６】
本発明に係るマットでは、それぞれの務歯列は、つなぎ合わせる相手となる務歯列が固定されていないので、使用者は自由につなぎ合わせる相手を選択することができる。例えば、マット本体及びマットカバーをつなぎ合わせるだけでなく、他のマットとつなぎ合わせる等の様々な方法で使用することができる。
【発明の効果】
【００１７】
本発明に係るマットは、略同形状をなすマット本体及びマットカバーを備え、マット本体及びマットカバーの辺には、務歯列が設けられている。務歯列は、一組のマット本体及びマットカバーをつなぎ合わせるものであるが、複数組のマットのマット本体同士、マットカバー同士をつなぎ合わせる等、様々な使用方法を提供することが可能である。例えば、長方形状のマット本体の長辺同士を複数つなぎ合わせ、またマットカバーの長辺同士を複数つなぎ合わせることにより、マットのサイズを実質的に大きくする等、様々な使用方法を提供することができる。
【図面の簡単な説明】
【００１８】
【図１】本発明の実施の形態１に係るマットの一例を分解して模式的に示す分解斜視図である。
【図２】本発明の実施の形態１に係るマットにおいて、務歯列及びスライダの配置の一例を概念的に示す模式図である。
【図３Ａ】本発明の実施の形態１に係るマットにおいて用いられるファスナーの構成例を示す模式図である。
【図３Ｂ】従来のファスナーの構成例を示す模式図である。
【図４Ａ】本発明の実施の形態１に係るマットにおいて用いられるファスナーの使用例を示す説明図である。
【図４Ｂ】本発明の実施の形態１に係るマットにおいて用いられるファスナーの使用例を示す説明図である。
【図４Ｃ】本発明の実施の形態１に係るマットにおいて用いられるファスナーの使用例を示す説明図である。
【図５】本発明の実施の形態１に係るマットの使用例を示す説明図である。
【図６】本発明の実施の形態１に係るマットの使用例を示す説明図である。
【図７】本発明の実施の形態２に係るマットの使用例を概念的に示す模式図である。
【図８】本発明の実施の形態２に係るマットの使用例を示す説明図である。
【図９】本発明の実施の形態３に係るマットにおいて、務歯列及びスライダの配置の一例を概念的に示す模式図である。
【図１０】本発明の実施の形態４に係るマットにおいて、務歯列及びスライダの配置の一例を概念的に示す模式図である。
【発明を実施するための形態】
【００１９】
以下、本発明の実施の形態について図面を参照しながら説明する。なお、以下の実施の形態は、本発明を具現化した一例であって、本発明の技術的範囲を限定する性格のものではない。
【００２０】
（実施の形態１）
図１は、本発明の実施の形態１に係るマットの一例を分解して模式的に示す分解斜視図である。本発明に係るマット１は、相互に対向して配置された略同形状の布状体であるマット本体１０及びマットカバー１１を備えており、マット本体１０及びマットカバー１１はいずれも平面視長方形状をなしている。図１においては上方にマットカバー１１を示し、下方にマット本体１０を示している。
【００２１】
マット本体１０及びマットカバー１１の間には人の身体を挿入できる程度の保温空間を形成することができる。マット本体１０及びマットカバー１１の間に人の身体を挿入して使用する場合、マット本体１０は敷布として機能し、マットカバー１１は掛布として機能する。しかし、このような使用形態に限定されるものではない。なお、マット本体１０は、例えばアクリル繊維で形成され、マットカバー１１は、例えば綿で構成される。また、マット本体１０の裏面には滑り止め加工を施しておくことが好ましい。
【００２２】
通常の使用状態では、マット本体１０は、敷布的な利用がされることから、形態の安定性を保持できる程度の素材が適用されることが好ましい。また、マットカバー１１は、掛布的な利用がされることから、マット本体１０と比較して柔軟性のある素材が適用されることが好ましい。また、マットカバー１１は、マット本体１０より広くできる程度の多少の余裕を持って形成されることが好ましい。マットカバー１１は、必要に応じて伸縮性を有する素材を適用することが可能である。
【００２３】
なお、マット本体１０及びマットカバー１１を構成する素材に柔軟性を持たせることにより、身体に対する密着性を向上させることも可能である。
【００２４】
マット本体１０は、下側第１長辺１０１と、下側第１長辺１０１に対向する下側第２長辺１０２と、下側第１長辺１０１及び下側第２長辺１０２の間で構成される下側第１短辺１０３と、下側第１長辺１０１及び下側第２長辺１０２との間で構成され下側第１短辺１０３に対向する下側第２短辺１０４とを有する平面視長方形状をなしている。マット本体１０の長辺の長さは、例えば８０〜１２０ｃｍであり、短辺の長さは、例えば５０〜９０ｃｍである。ただし、このサイズに限定されるものではない。
【００２５】
マットカバー１１は、下側第１長辺１０１に対向する上側第１長辺１１１と、下側第２長辺１０２に対向する上側第２長辺１１２と、下側第１短辺１０３に対向する上側第１短辺１１３と、下側第２短辺１０４に対向する上側第２短辺１１４とを有し、マット本体１０と略同程度の大きさに形成された平面視長方形状をなしている。
【００２６】
マット本体１０は、少なくとも下側第１長辺１０１を他の辺と開閉可能につなぎ合わせることが可能な下側第１務歯列（ファスナーエレメント列）１０ａと、少なくとも下側第２長辺１０２を他の辺と開閉可能につなぎ合わせることが可能な下側第２務歯列１０ｂとを備えている。また、下側第１務歯列１０ａには、一対の務歯列上を摺動することにより、当該一対の務歯列が設けられた辺同士を開閉する下側第１スライダ１０ｃが係合している。また、下側第２務歯列１０ｂには、下側第２スライダ１０ｄが係合している。
【００２７】
マットカバー１１は、少なくとも上側第１長辺１１１を他の辺と開閉可能につなぎ合わせることが可能な上側第１務歯列１１ａと、少なくとも上側第２長辺１１２を他の辺と開閉可能につなぎ合わせる事が可能な上側第２務歯列１１ｂとを備えている。また、上側第１務歯列１１ａには、上側第１スライダ１１ｃが係合しており、上側第２務歯列１１ｂには、上側第２スライダ１１ｄが係合している。なお、各務歯列及び各スライダの配置については、別途詳述する。
【００２８】
マット本体１０には、温度を調整するためにヒータ部１０５が内蔵されており、更に、ヒータ部１０５に対するコネクタ１０６が内蔵されている。コネクタ１０６は、下側第２長辺１０２に隣接した位置で、下側第２短辺１０４の側に配置されている。さらに、コネクタ１０６には、温度調節等の制御に用いるコントローラ１０７が接続されており、コントローラ１０７は、使用者が操作しやすいように、下側第２長辺１０２における下側第２短辺１０４近傍からマット本体１０の外部に配置されている。ヒータ部１０５には、普及している電気カーペット等の暖房器具に適用される抵抗による電熱ヒータが用いられる。なお、以降の説明及び図面では、ヒータ部１０５、コネクタ１０６、コントローラ１０７等の発熱部についての記載は省略して示す。
【００２９】
次に、務歯列及びスライダの配置について説明する。図２は、本発明の実施の形態１に係るマット１において、務歯列及びスライダの配置の一例を概念的に示す模式図である。図２は、本発明の実施の形態１に係るマット１を示しており、図２の上部にマットカバー１１を示し、図２の下部にマット本体１０を示している。
【００３０】
マット本体１０には、図２に向かって右側に示した下側第１長辺１０１から下側第１短辺１０３にわたって、下側第１務歯列１０ａが形成されている。下側第１務歯列１０ａは、下側第１長辺１０１における下側第２短辺１０４側の端部近傍から下側第１短辺１０３の中央部近傍まで続いている。下側第１務歯列１０ａに係合する下側第１スライダ１０ｃは、下側第１短辺１０３側から下側第２短辺１０４側へ向かう方向への摺動が閉動作となり、下側第２短辺１０４側から下側第１短辺１０３側へ向かう方向への摺動が開動作となる。
【００３１】
また、マット本体１０には、左側に示した下側第２長辺１０２から下側第１短辺１０３にわたって、下側第２務歯列１０ｂが形成されている。下側第２務歯列１０ｂは、下側第２長辺１０２における下側第２短辺１０４側の端部近傍から下側第１短辺１０３の中央部近傍まで続いている。即ち、下側第１務歯列１０ａの下側第１短辺１０３側の端部と、下側第２務歯列１０ｂの下側第１短辺１０３側の端部とは、近接した位置に配置されている。下側第２務歯列１０ｂに係合する下側第２スライダ１０ｄは、下側第２短辺１０４側から下側第１短辺１０３側へ向かう方向への摺動が閉動作となり、下側第１短辺１０３側から下側第２短辺１０４側へ向かう方向への摺動が開動作となる。
【００３２】
マットカバー１１には、図２に向かって右側に示した上側第１長辺１１１から上側第１短辺１１３にわたって、上側第１務歯列１１ａが形成されている。上側第１務歯列１１ａは、上側第１長辺１１１における上側第２短辺１１４側の端部近傍から上側第１短辺１１３の中央部近傍まで続いている。上側第１務歯列１１ａに係合する上側第１スライダ１１ｃは、上側第１短辺１１３側から上側第２短辺１１４側へ向かう方向への摺動が開動作となり、上側第２短辺１１４側から上側第１短辺１１３側へ向かう方向への摺動が閉動作となる。
【００３３】
また、マットカバー１１には、左側に示した上側第２長辺１１２から上側第１短辺１１３にわたって、上側第２務歯列１１ｂが形成されている。上側第２務歯列１１ｂは、上側第２長辺１１２における上側第２短辺１１４側の端部近傍から上側第１短辺１１３の中央部近傍まで続いている。即ち、上側第１務歯列１１ａの上側第１短辺１１３側の端部と、上側第２務歯列１１ｂの上側第１短辺１１３側の端部とは、近接した位置に配置されている。上側第２務歯列１１ｂに係合する上側第２スライダ１１ｄは、上側第２短辺１１４側から上側第１短辺１１３側へ向かう方向への摺動が開動作となり、上側第１短辺１１３側から上側第２短辺１１４側へ向かう方向への摺動が閉動作となる。
【００３４】
マット本体１０及びマットカバー１１の間で対応する位置に形成されている下側第１務歯列１０ａと上側第１務歯列１１ａとは、下側第１スライダ１０ｃを上側第１務歯列１１ａに係合させて摺動させることにより、つなぎ合わせることが可能である。また、下側第１務歯列１０ａ及び上側第１務歯列１１ａは、上側第１スライダ１１ｃを下側第１務歯列１０ａに係合させて摺動させることによってもつなぎ合わせることが可能である。更には、下側第１スライダ１０ｃを上側第１務歯列１１ａに、上側第１スライダ１１ｃを下側第１務歯列１０ａに相互に係合させることも可能である。
【００３５】
前述のように、下側第１務歯列１０ａ及び上側第１務歯列１１ａをつなぎ合わせる場合、下側第１スライダ１０ｃと上側第１スライダ１１ｃとはそれぞれ開動作の方向及び閉動作の方向が反対方向となる。つなぎ合わせた下側第１務歯列１０ａ及び上側第１務歯列１１ａにおいては、下側第１短辺１０３（上側第１短辺１１３）側から開くようにすることも、下側第２短辺１０４（上側第２短辺１１４）側から開くようにすることも可能であり、更には、端部を閉じて中央部を開くようにすることも可能である。もちろん完全に閉じることも可能である。このように下側第１長辺１０１及び下側第１短辺１０３と、上側第１長辺１１１及び上側第１短辺１１３とは、下側第１務歯列１０ａ及び上側第１務歯列１１ａにより、開閉可能につなぎ合わせることができる。
【００３６】
また、マット本体１０及びマットカバー１１の間で対応する位置に形成されている下側第２務歯列１０ｂと上側第２務歯列１１ｂとは、下側第２スライダ１０ｄを上側第２務歯列１１ｂに係合させて摺動させることにより、つなぎ合わせることが可能である。また、下側第２務歯列１０ｂ及び上側第２務歯列１１ｂは、上側第２スライダ１１ｄを下側第２務歯列１０ｂに係合させて摺動させることによってもつなぎ合わせることが可能である。更には、下側第２スライダ１０ｄを上側第２務歯列１１ｂに、上側第２スライダ１１ｄを下側第２務歯列１０ｂに相互に係合させることも可能である。
【００３７】
前述のように、下側第２務歯列１０ｂ及び上側第２務歯列１１ｂをつなぎ合わせる場合、下側第２スライダ１０ｄと上側第２スライダ１１ｄとはそれぞれ開動作の方向及び閉動作の方向が反対方向となる。つなぎ合わせた下側第２務歯列１０ｂ及び上側第２務歯列１１ｂにおいては、下側第１短辺１０３（上側第１短辺１１３）側から開くようにすることも、下側第２短辺１０４（上側第２短辺１１４）側から開くようにすることも可能であり、更には、端部を閉じて中央部を開くようにすることも可能である。もちろん完全に閉じることも可能である。このように下側第２長辺１０２及び下側第１短辺１０３と、上側第２長辺１１２及び上側第１短辺１１３とは、下側第２務歯列１０ｂ及び上側第２務歯列１１ｂにより、開閉可能につなぎ合わせることができる。
【００３８】
次に、ファスナーの構成について説明する。図３Ａは、本発明の実施の形態１に係るマット１において用いられるファスナーの構成例を示す模式図であり、図３Ｂは、比較のために示した従来のファスナーの構成例を示す模式図である。図３Ａ及び３Ｂに示すように、ファスナーは、開閉可能につなぎ合わせる２枚の布状体の双方に、務歯列Ｅを固着したファスナーテープＴが縫着される。ここでいう２枚の布状体とは、マット本体１０及びマットカバー１１を示すが、後述するように２枚のマット本体１０，１０又は２枚のマットカバー１１，１１であってもよい。
【００３９】
図３Ｂに示すように従来のファスナーは、一方の務歯列ＥのみにスライダＳが係合している。下側に示すスライダＳが係合している方の務歯列Ｅの図中右側に示す一端には、スライダＳの一方の摺動端となる止部ＳＰが設けられており、他端には、スライダＳの他方の摺動端となる箱体ＥＢが設けられている。また、上側に示すスライダＳが係合していない方の務歯列Ｅの一端には、止部ＳＰが設けられており、他端には、箱体ＥＢに嵌合させることが可能な蝶棒ＴＳが設けられている。
【００４０】
そして、スライダＳを務歯列Ｅの箱体ＥＢ側に移動させた状態で、箱棒ＢＳを、スライダＳ内に挿通させ、更に箱体ＥＢに嵌合させることにより、スライダＳが双方の務歯列Ｅに系合する。そして、スライダＳに系着された引手Ｐをつまんで摺動させることにより、ファスナーを開閉することができる。
【００４１】
図３Ａに示す本発明に係るファスナーは、両方の務歯列ＥにスライダＳが係合している。なお、各務歯列Ｅに係合するスライダＳの摺動による開閉方向は、互いに逆向きとなっている。また、いずれの務歯列Ｅも、スライダＳの摺動方向が開く方向となる側の端部には、箱体ＥＢが設けられており、他方の端部には、蝶棒ＴＳが設けられている。
【００４２】
そして、一方の務歯列Ｅに係合する一方のスライダＳを箱体ＥＢ側に移動させた状態で、他方の蝶棒ＴＳを、一方のスライダＳ内に挿通させ、更に一方の箱体ＥＢに嵌合させることにより、一方のスライダＳが双方の務歯列Ｅに係合する。そして、一方のスライダＳに係着された引手Ｐをつまんで摺動させることにより、ファスナーを開閉することができる。他方のスライダＳについても同様である。
【００４３】
図４Ａ、図４Ｂ及び図４Ｃは、本発明の実施の形態１に係るマット１において用いられるファスナーの使用例を示す説明図である。図４Ａは、つなぎ合わせる前のファスナーを示しており、相対する２本のファスナーは、スライダＳ、箱体ＥＢ及び蝶棒ＴＳの配置がそれぞれ逆になっている。なお、図３Ａに図示した一方及び他方のファスナーテープＴ（ファスナ片）は同じものであり、箱体ＥＢ及び蝶棒ＴＳがそれぞれ逆になるように配置されている。
【００４４】
図４Ｂは、それぞれの蝶棒ＴＳを、相対する箱体ＥＢにそれぞれ嵌合させ、図中上下の務歯列Ｅに係合するそれぞれのスライダＳを閉じる方向へ摺動させた状態を示している。具体的には、それぞれのスライダＳを、務歯列Ｅの全長に対して１／３程度摺動させることにより、両端部を閉じて、中央部を開くようにした状態を示している。それぞれのスライダＳは、矢印として示すように務歯列Ｅに沿って摺動させることにより、開閉することができるので、開部の位置及び長さを適宜調整することが可能である。
【００４５】
図４Ｃは、上側の務歯列Ｅの左端の蝶棒ＴＳを、下側の務歯列Ｅの箱体ＥＢに嵌合させ、上下の務歯列Ｅに係合する下側のスライダＳを摺動させた状態を示している。矢印として示すようにスライダＳを左右に摺動させることにより、務歯列Ｅを左側から閉じ、また右側から開くことができる。
【００４６】
図５は、本発明の実施の形態１に係るマット１の使用例を示す説明図である。図５は、マット本体１０の下側第１務歯列１０ａ及びマットカバー１１の上側第１務歯列１１ａをつなぎ合わせ、更に、下側第２務歯列１０ｂ及び上側第２務歯列１１ｂをつなぎ合わせて使用している状態を示している。
【００４７】
つなぎ合わせた下側第１務歯列１０ａ及び上側第１務歯列１１ａは、下側第１スライダ１０ｃ又は上側第１スライダ１１ｃの摺動により開閉することが可能である。また、つなぎ合わせた下側第２務歯列１０ｂ及び上側第２務歯列１１ｂは、下側第２スライダ１０ｄ又は上側第２スライダ１１ｄの摺動により開閉することが可能である。図５では、下側第１スライダ１０ｃ及び上側第１スライダ１１ｃの両方を下側第１長辺１０１（上側第１長辺１１１）における下側第２短辺１０４（上側第２短辺１１４）側の端部まで摺動させ、下側第１務歯列１０ａ及び上側第１務歯列１１ａをつなぎ合わせて閉じた状態を示している。また、下側第２務歯列１０ｂ及び上側第２務歯列１１ｂは、下側第２長辺１０２（上側第２長辺１１２）の中央部を開き、下側第１短辺１０３（上側第１短辺１１３）及び下側第２長辺１０２（上側第２長辺１１２）の両端を閉じた状態としている。
【００４８】
このように開口することにより、使用者は、下側第２短辺１０４（上側第２短辺１１４）側だけでなく、下側第２長辺１０２（上側第２長辺１１２）側からも身体を挿入することができる。
【００４９】
図６は、本発明の実施の形態１に係るマット１の使用例を示す説明図である。図６は、マット本体１０の下側第１務歯列１０ａ及びマットカバー１１の上側第１務歯列１１ａをつなぎ合わせ、更に、下側第２務歯列１０ｂ及び上側第２務歯列１１ｂをつなぎ合わせた状態から、下側第２短辺１０４（上側第２短辺１１４）側を開いた状態を示している。
【００５０】
このように開口することにより、使用者は、例えば、マット本体１０を敷布とし、マットカバー１１を掛布とした寝袋として使用することができる。
【００５１】
（実施の形態２）
実施の形態２は、実施の形態１に説明したマット本体及びマットカバーを２組使用する形態であり、異なるマットのマット本体同士及びマットカバー同士を繋ぐ使用方法について示している。図７は、本発明の実施の形態２に係るマット１の使用例を概念的に示す模式図である。図７中左側は、下側の第１マット本体２０と上側の第１マットカバー２１にて構成される第１マット２であり、図７中右側は、下側の第２マット本体３０と上側の第２マットカバー３１にて構成される第２マット３である。なお、実施の形態２における第１マット２及び第２マット３は、実質的に実施の形態１におけるマット１と同様の構成である。
【００５２】
第１マット本体２０は、下側第１長辺２０１、下側第２長辺２０２、下側第１短辺２０３及び下側第２短辺２０４を有する長方形状をなし、下側第１スライダ２０ｃが係合する下側第１務歯列２０ａを下側第１長辺２０１及び下側第１短辺２０３の一部に有し、下側第２スライダ２０ｄが係合する下側第２務歯列２０ｂを下側第２長辺２０２及び下側第１短辺２０３の一部に有する。
【００５３】
第１マットカバー２１は、上側第１長辺２１１、上側第２長辺２１２、上側第１短辺２１３及び上側第２短辺２１４を有する長方形状をなし、上側第１スライダ２１ｃが係合する上側第１務歯列２１ａを上側第１長辺２１１及び上側第１短辺２１３の一部に有し、上側第２スライダ２１ｄが係合する上側第２務歯列２１ｂを上側第２長辺２１２及び上側第１短辺２１３の一部に有する。
【００５４】
第２マット本体３０は、下側第１長辺３０１、下側第２長辺３０２、下側第１短辺３０３及び下側第２短辺３０４を有する長方形状をなし、下側第１スライダ３０ｃが係合する下側第１務歯列３０ａを下側第１長辺３０１及び下側第１短辺３０３の一部に有し、下側第２スライダ３０ｄが係合する下側第２務歯列３０ｂを下側第２長辺３０２及び下側第１短辺３０３の一部に有する。
【００５５】
第２マットカバー３１は、上側第１長辺３１１、上側第２長辺３１２、上側第１短辺３１３及び上側第２短辺３１４を有する長方形状をなし、上側第１スライダ３１ｃが係合する上側第１務歯列３１ａを上側第１長辺３１１及び上側第１短辺３１３の一部に有し、上側第２スライダ３１ｄが係合する上側第２務歯列３１ｂを上側第２長辺３１２及び上側第１短辺３１３の一部に有する。
【００５６】
第１マット２の第１マット本体２０と第１マットカバー２１とを、下側第１務歯列２０ａ、下側第２務歯列２０ｂ、上側第１務歯列２１ａ及び上側第２務歯列２１ｂでつなぎ合わせることが可能であることは、実施の形態１でも説明した通りである。同様に第２マット３の第２マット本体３０と第２マットカバー３１とを、下側第１務歯列３０ａ、下側第２務歯列３０ｂ、上側第１務歯列３１ａ及び上側第２務歯列３１ｂでつなぎ合わせることも可能である。
【００５７】
さらに、実施の形態２では、第１マット２の第１マット本体２０が備える下側第１務歯列２０ａと、第２マット３の第２マット本体３０が備える下側第２務歯列３０ｂとをつなぎ合わせ、第１マット２の第１マットカバー２１が備える上側第１務歯列２１ａと、第２マット３の第２マットカバー３１が備える上側第２務歯列３１ｂとをつなぎ合わせて使用することができる。
【００５８】
図８は、本発明の実施の形態２に係るマット（第１マット２，第２マット３）の使用例を示す説明図である。図８では、第１マット本体２０の下側第１務歯列２０ａ及び第２マット本体３０の下側第２務歯列３０ｂにより、第１マット本体２０の下側第１長辺２０１と第２マット本体３０の下側第２長辺３０２とをつなぎ合わせている。また、第１マットカバー２１の上側第１務歯列２１ａ及び第２マットカバー３１の上側第２務歯列３１ｂにより、第１マットカバー２１の上側第１長辺２１１及び第２マットカバー３１の上側第２長辺３１２をつなぎ合わせている。さらに、第１マット本体２０の下側第２務歯列２０ｂ及び第１マットカバー２１の上側第２務歯列２１ｂにより、第１マット本体２０の下側第２長辺２０２及び第１マットカバー２１の上側第２長辺２１２をつなぎ合わせている。さらに、第２マット本体３０の下側第１務歯列３０ａ及び第２マットカバー３１の上側第１務歯列３１ａにより、第２マット本体３０の下側第１長辺３０１及び第２マットカバー３１の上側第１長辺３１１をつなぎ合わせている。加えて、第１マット本体２０の下側第１短辺２０３及び第１マットカバー２１の上側第１短辺２１３をつなぎ合わせると共に、第２マット本体３０の下側第１短辺３０３及び第２マットカバー３１の上側第１短辺３１３をつなぎ合わせ、開口（第１マット２の下側第２短辺２０４及び上側第２短辺２１４並びに第２マット３の下側第２短辺３０４及び上側第２短辺３１４にて形成される辺）を頭側としてユーザがマット内に身体を挿入した際に、足元側からの外気の侵入も防いで保温することができる。
【００５９】
このようにつなぎ合わせた第１マット２及び第２マット３は、第１マット２の下側第２短辺２０４及び上側第２短辺２１４並びに第２マット３の下側第２短辺３０４及び上側第２短辺３１４にて形成される辺を、大きな開口部として開くことが可能な大きなマットとして使用することができる。
【００６０】
また、例えば、第１マット２の下側第２長辺２０２及び上側第２長辺２１２をつなぎ合わせた辺は、大きなマットの短辺となり、この辺を開くように第１マット２の下側第２スライダ２０ｄ及び上側第２スライダ２１ｄを調整することで、成人でも使用可能な大きな寝袋として使用することができる。
【００６１】
なお、図８では、他のマットと長辺同士をつなぎ合わせているが、短辺同士をつなぎ合わせても良く、更には、３組以上のマットをつなぎ合わせることも可能である。
【００６２】
本発明のマットの優れた効果の一つは、実施の形態２として示すように、複数組のマットを自在に組み合わせることが可能な点にある。実施の形態１でも示したように、本発明に係るマットは、開口部の設け方により、自由な使用が可能であるが、複数組のマットを使用することにより、マットを使用する際の実質的なサイズをも自在に変えることができる。
【００６３】
したがって、子供の成長に合わせてマットのサイズを大きくする等の使用方法を提供することが可能である。さらに、組み合わせ単位となる一組のマットのサイズを小さくし、適宜素材を選択することにより、家庭用洗濯機でも丸洗い可能なマットを提供することが可能である。
【００６４】
なお、このようなマットの基本サイズについては、つなぎ合わせた場合でも相似形を維持することができるように、長辺：短辺の比を√２：１＝約１．４：１とすることが望ましい。
【００６５】
また、上述した実施形態では、マット本体及びマットカバーは、両長辺から一方の短辺の中央部にわたってＬ字状にそれぞれ務歯列を有し、これらの務歯列は図３Ａ及び図４の図示等により明らかなように、務歯列と、スライダＳと、スライダＳの摺動方向が開く方向となる側の端部に箱体ＥＢを設け、他方の端部には、蝶棒ＴＳが設けた長手方向の長さを含め全く同様なファスナーテープＴ（ファスナ片）をマットに対して、マット本体側に２本、マットカバー側に２本の計４本を図１及び図２及び図７に図示した如く配置する簡単な構成で、マットカバーとマット本体及び、マットカバー同士、マット本体同士をつなぎ合わせる等、様々な方法で使用することができる等の効果を奏する。
【００６６】
（実施の形態３）
実施の形態３は、実施の形態１において、務歯列の配置を変更した形態である。図９は、本発明の実施の形態３に係るマットにおいて、務歯列及びスライダの配置の一例を概念的に示す模式図である。
【００６７】
実施の形態３に係るマット４は、マット本体４０及びマットカバー４１を備えている。マット本体４０は、下側第１長辺４０１、下側第２長辺４０２、下側第１短辺４０３及び下側第２短辺４０４を有する長方形状をなしており、マットカバー４１は、上側第１長辺４１１、上側第２長辺４１２、上側第１短辺４１３及び上側第２短辺４１４を有する長方形状をなしている。なお、各辺の配置は実施の形態１と同様である。
【００６８】
マット本体４０には、下側第１スライダ４０ｃが係合する下側第１務歯列４０ａが下側第１長辺４０１に形成されており、下側第２スライダ４０ｄが係合する下側第２務歯列４０ｂが下側第２長辺４０２から下側第１短辺４０３にわたり下側第１長辺４０１側の近傍まで形成されている。
【００６９】
マットカバー４１には、上側第１スライダ４１ｃが係合する上側第１務歯列４１ａが上側第１長辺４１１に形成されており、上側第２スライダ４１ｄが係合する上側第２務歯列４１ｂが上側第２長辺４１２から上側第１短辺４１３にわたり上側第１長辺４１１側の近傍まで形成されている。
【００７０】
下側第１スライダ４０ｃは、下側第１短辺４０３側から下側第２短辺４０４側へ向かう方向への摺動が閉動作となり、下側第２短辺４０４側から下側第１短辺４０３側へ向かう方向への摺動が開動作となる。下側第２スライダ４０ｄは、下側第２短辺４０４側へ向かう方向への摺動が開動作となり、逆方向への摺動が閉動作となる。
【００７１】
上側第１スライダ４１ｃは、上側第２短辺４１４側から上側第１短辺４１３側へ向かう方向への摺動が閉動作となり、上側第１短辺４１３側から上側第２短辺４１４側へ向かう方向への摺動が開動作となる。上側第２スライダ４１ｄは、上側第２短辺４１４側へ向かう方向への摺動が閉動作となり、逆方向への摺動が開動作となる。
【００７２】
なお、実施の形態３に示したマット４についても、複数組をつなぎ合わせて使用することが可能である。
【００７３】
（実施の形態４）
実施の形態４は、実施の形態３において、務歯列の配置及びスライダによる開閉方向を変更した形態である。図１０は、本発明の実施の形態３に係るマットにおいて、務歯列及びスライダの配置の一例を概念的に示す模式図である。
【００７４】
実施の形態４に係るマット５は、マット本体５０及びマットカバー５１を備えている。マット本体５０は、下側第１長辺５０１、下側第２長辺５０２、下側第１短辺５０３及び下側第２短辺５０４を有する長方形状をなしており、マットカバー５１は、上側第１長辺５１１、上側第２長辺５１２、上側第１短辺５１３及び上側第２短辺５１４を有する長方形状をなしている。なお、各辺の配置は実施の形態１と同様である。
【００７５】
マット本体５０には、下側第１スライダ５０ｃが係合する下側第１務歯列５０ａが下側第１長辺５０１から下側第１短辺５０３にわたり下側第２長辺５０２の近傍まで形成されており、下側第２スライダ５０ｄが係合する下側第２務歯列５０ｂが下側第２長辺５０２に形成されている。
【００７６】
マットカバー５１には、上側第１スライダ５１ｃが係合する上側第１務歯列５１ａが上側第１長辺５１１から上側第１短辺５１３にわたり上側第２長辺５１２の近傍まで形成されており、上側第２スライダ５１ｄが係合する上側第２務歯列５１ｂが上側第２長辺５１２に形成されている。
【００７７】
下側第１スライダ５０ｃは、下側第２短辺５０４側へ向かう方向への摺動が閉動作となり、逆方向への摺動が開動作となる。下側第２スライダ５０ｄは、下側第２短辺５０４側から下側第１短辺５０３側へ向かう方向の摺動が閉動作となり、下側第１短辺５０３側から下側第２短辺５０４側へ向かう方向への摺動が開動作となる。
【００７８】
上側第１スライダ５１ｃは、上側第２短辺５１４側へ向かう方向への摺動が開動作となり、逆方向への摺動が閉動作となる。上側第２スライダ５１ｄは、上側第２短辺５１４側から上側第１短辺５１３側へ向かう方向の摺動が開動作となり、上側第１短辺５１３側から上側第２短辺５１４側へ向かう方向の摺動が閉動作となる。
【００７９】
なお、実施の形態４に示したマット５についても、複数組をつなぎ合わせて使用することが可能である。
【００８０】
以上、詳述したように、本発明に係るマットは、一組のマットとして使用するだけでなく、複数組のマットをつなぎ合わせて使用することが可能である。即ち、下側第１務歯列及び上側第１務歯列は、つなぎ合わせて、下側第１スライダ又は上側第１スライダの摺動により開閉することが可能であり、下側第２務歯列及び上側第２務歯列は、つなぎ合わせて、下側第２スライダ又は上側第２スライダの摺動により開閉することが可能である。さらに、下側第１務歯列は、他のマットの下側第２務歯列とつなぎ合わせて、自らの下側第１スライダ又は他のマットの下側第２スライダの摺動により開閉することが可能であり、下側第２務歯列は、他のマットの下側第１務歯列とつなぎ合わせて、自らの下側第２スライダ又は他のマットの下側第１スライダの摺動により開閉することが可能であり、上側第１務歯列は、他のマットの上側第２務歯列とつなぎ合わせて、自らの上側第１スライダ又は他のマットの上側第２スライダの摺動により開閉することが可能であり、上側第２務歯列は、他のマットの上側第１務歯列とつなぎ合わせて、自らの上側第２スライダ又は他のマットの下側第２スライダの摺動により開閉することが可能である。
【００８１】
前記実施の形態は、本発明の無数に存在する実施例の一部を開示したに過ぎず、目的、用途、仕様等の様々な要因を加味して適宜設計することが可能である。例えば、前記実施の形態では、長辺及び短辺を有する長方形状のマットに適用する例を示したが、正方形状等の他の四角形状であってもよい。更には、長方形状の四隅を切り落とした八角形状のマット等の多角形状のマットに適用することも可能である。
【００８２】
また、本発明に係るマットは、ヒータ部、コネクタ及びコントローラによる発熱部を有していないマットにも適用可能である。
【符号の説明】
【００８３】
１，２，３，４，５  マット（第１マット，第２マット）
１０，２０，３０，４０，５０  マット本体（第１マット，第２マット）
１０１，２０１，３０１，４０１，５０１  下側第１長辺
１０２，２０２，３０２，４０２，５０２  下側第２長辺
１０３，２０３，３０３，４０３，５０３  下側第１短辺
１０４，２０４，３０４，４０４，５０４  下側第２短辺
１０ａ，２０ａ，３０ａ，４０ａ，５０ａ  下側第１務歯列
１０ｂ，２０ｂ，３０ｂ，４０ｂ，５０ｂ  下側第２務歯列
１０ｃ，２０ｃ，３０ｃ，４０ｃ，５０ｃ  下側第１スライダ
１０ｄ，２０ｄ，３０ｄ，４０ｄ，５０ｄ  下側第２スライダ
１１，２１，３１，４１，５１  マットカバー（第１マットカバー，第２マットカバー）
１１１，２１１，３１１，４１１，５１１  上側第１長辺
１１２，２１２，３１２，４１２，５１２  上側第２長辺
１１３，２１３，３１３，４１３，５１３  上側第１短辺
１１４，２１４，３１４，４１４，５１４  上側第２短辺
１１ａ，２１ａ，３１ａ，４１ａ，５１ａ  上側第１務歯列
１１ｂ，２１ｂ，３１ｂ，４１ｂ，５１ｂ  上側第２務歯列
１１ｃ，２１ｃ，３１ｃ，４１ｃ，５１ｃ  上側第１スライダ
１１ｄ，２１ｄ，３１ｄ，４１ｄ，５１ｄ  上側第２スライダ
Ｔ  ファスナーテープ
Ｅ  務歯列（ファスナーエレメント列）
Ｓ  スライダ
ＳＰ  止部
ＴＳ  蝶棒
ＥＢ  箱体
Ｐ  引手
【図１】
2014230607.tif 000003
【図２】
2014230607.tif 000004
【図３Ａ】
2014230607.tif 000005
【図３Ｂ】
2014230607.tif 000006
【図４Ａ】
2014230607.tif 000007
【図４Ｂ】
2014230607.tif 000008
【図４Ｃ】
2014230607.tif 000009
【図５】
2014230607.tif 000010
【図６】
2014230607.tif 000011
【図７】
2014230607.tif 000012
【図８】
2014230607.tif 000013
【図９】
2014230607.tif 000014
【図１０】
2014230607.tif 000015